(57)【要約】      （修正有）【課題】線形作動リリースを伴う装填ユニットロックカラーを提供すること【解決手段】装填ユニット１０であって、外科手術器具の遠位端部分を受容するように構成される近位開口部を画定する結合リング２２を有するシェルアセンブリ２０と、前記結合リング２２のまわりに配置される、ロックカラー４０であって、前記ロックカラー４０は、ロックスロット２５内に受容されるように構成される半径方向に延在するロックを含み、前記ロックカラー４０は、前記ロックが前記ロックスロット２５内に位置付けられる係止構成と、前記ロックが前記ロックスロット２５内から上昇される係止解除構成との間で遷移可能であり、前記ロックカラー４０は、前記係止構成において前記装填ユニット１０を外科手術器具に固着させるように構成される、ロックカラー４０と、前記ロックカラー４０の近位の前記結合リング２２のまわりに配置される、リリースカラー６０と、を備える。【選択図】図５
2018008059.tif 000002
【特許請求の範囲】
【請求項１】
装填ユニットであって、
外科手術器具の遠位端部分を受容するように構成される近位開口部を画定する結合リングを有するシェルアセンブリであって、前記結合リングは、ロックスロットを画定する、シェルアセンブリと、
前記結合リングのまわりに配置される、ロックカラーであって、前記ロックカラーは、前記ロックスロット内に受容されるように構成される半径方向に延在するロックを含み、前記ロックカラーは、前記ロックが前記ロックスロット内に位置付けられる係止構成と、前記ロックが前記ロックスロット内から上昇される係止解除構成との間で遷移可能であり、前記ロックカラーは、前記係止構成において前記装填ユニットを外科手術器具に固着させるように構成される、ロックカラーと、
前記ロックカラーの近位の前記結合リングのまわりに配置される、リリースカラーであって、前記リリースカラーは、非作動位置と作動位置との間で平行移動可能であり、前記リリースカラーは、前記リリースカラーが前記非作動位置から前記作動位置に向かって平行移動されると、前記ロックカラーを前記係止解除構成に遷移させる、リリースカラーと、
を備える、装填ユニット。
【請求項２】
前記ロックカラーは、ロックリングと、前記ロックリングから近位に延在する第１の弾性係止フランジとを含み、前記第１の係止フランジは、前記ロックを支持し、前記ロックは、前記係止構成において前記ロックスロットを通して前記近位開口部に通過し、前記ロックは、前記係止解除構成において前記近位開口部の外側に位置付けられる、請求項１に記載の装填ユニット。
【請求項３】
前記第１の係止フランジは、内向きに遠位に角度付けられるカム面を含み、前記リリースカラーは、外向きに近位に角度付けられる第１のカム作用面を有し、前記係止構成において、前記第１の係止フランジのカム面は、前記第１のカム作用面に係合し、前記リリースカラーを前記非作動位置に向かって付勢する、請求項２に記載の装填ユニット。
【請求項４】
前記作動位置において、前記第１のカム作用面は、前記第１の係止フランジのカム面に係合し、前記ロックカラーを前記係止解除構成に遷移させる、請求項３に記載の装填ユニット。
【請求項５】
前記ロックカラーは、前記リリースカラーを前記非作動位置に向かって付勢する、請求項１に記載の装填ユニット。
【請求項６】
前記ロックカラーは、ロックリングから近位に延在し、前記第１の係止フランジに対向する、第２の弾性係止フランジを含む、請求項５に記載の装填ユニット。
【請求項７】
前記第２の係止フランジは、内向きに遠位に角度付けられるカム面を有し、前記リリースカラーは、外向きに近位に角度付けられる第２のカム作用面を有し、前記第２の係止フランジのカム面は、前記リリースカラーの第２のカム作用面に係合し、前記リリースカラーを前記非作動位置に向かって付勢する、請求項６に記載の装填ユニット。
【請求項８】
前記リリースカラーの作動位置において、前記第２のカム作用面は、前記第２の係止フランジを前記結合リングから離すように上昇させる、請求項７に記載の装填ユニット。
【請求項９】
前記結合リングは、複数のロックカラー保持スロットを画定し、前記ロックカラーは、複数のロックカラー保持タブを含み、前記保持タブはそれぞれ、それぞれのロックカラー保持スロット内に受容され、前記ロックカラーを前記結合リングに固着させる、請求項１に記載の装填ユニット。
【請求項１０】
前記結合リングは、複数のリリースカラー保持スロットを画定し、前記リリースカラーは、複数のリリースカラー保持タブを含み、前記保持タブはそれぞれ、それぞれのリリースカラー保持スロット内にスライド可能に受容され、前記リリースカラーを前記結合リングのまわりに保持する、請求項１に記載の装填ユニット。
【請求項１１】
外科手術システムであって、
係止窓を画定する遠位端部分を含む、外科手術器具と、
前記遠位端部分を受容する近位開口部を画定する結合リングを有するシェルアセンブリを含む装填ユニットであって、前記結合リングは、ロックスロットを画定する、装填ユニットと、
前記結合リングのまわりに配置される、ロックカラーであって、前記ロックカラーは、前記ロックスロット内に受容されるように構成される半径方向に延在するロックを含み、前記ロックカラーは、前記ロックが前記ロックスロット内に位置付けられる係止構成と、前記ロックが前記ロックスロット内から上昇される係止解除構成との間で遷移可能であり、前記係止構成において前記装填ユニットを前記外科手術器具の遠位端部分に固着させるように構成される、ロックカラーと、
前記ロックカラーの近位の前記結合リングのまわりに配置される、リリースカラーであって、前記リリースカラーは、非作動位置と作動位置との間で平行移動可能であり、前記リリースカラーは、前記リリースカラーが前記非作動位置から前記作動位置に向かって平行移動されると、前記ロックカラーを前記係止解除構成に遷移させる、リリースカラーと、
を備える、外科手術システム。
【請求項１２】
前記結合リングは、前記近位開口部に延在するキーを含み、前記外科手術器具の遠位端部分は、キー溝を画定し、前記キーは、前記シェルアセンブリの縦方向軸に平行であり、前記キー溝は、前記外科手術器具の遠位端部分の縦方向軸に平行であり、前記キーは、前記キー溝内に受容され、前記装填ユニットを前記外科手術器具の遠位端部分に回転可能に固定する、請求項１１に記載の外科手術システム。
【請求項１３】
前記ロックカラーは、ロックリングと、前記ロックリングから近位に延在する第１の弾性係止フランジとを含み、前記第１の係止フランジは、前記ロックを支持し、前記ロックは、内向きに遠位に角度付けられるカム面を含み、前記外科手術器具の遠位端は、前記係止窓が前記結合リングのロックスロットと整合されるまで前記外科手術器具の遠位端部分が前記近位開口部内に受容されると、前記ロックのカム面に係合し、前記ロックカラーを前記係止解除構成に遷移させるように構成される、請求項１１に記載の外科手術システム。
【請求項１４】
前記リリースカラーは、整合印を含み、前記外科手術器具の遠位端部分は、整合インジケータを含み、前記遠位端部分が前記近位開口部内に受容されると、前記リリースカラーの整合印および前記遠位端部分の整合インジケータは、相互に整合され、ロックリングのロックを前記遠位端部分の係止窓と整合させる、請求項１１に記載の外科手術システム。
【請求項１５】
装填ユニットを外科手術器具に固着させる方法であって、
前記装填ユニットの結合リングを前記外科手術器具の遠位端部分と整合させるステップと、
前記結合リングを前記外科手術器具の遠位端部分にわたってスライドさせるステップであって、前記外科手術器具の遠位端は、前記結合リングにわたって配置されるロックカラーのロックに係合し、前記ロックを上昇させ、前記ロックは、前記ロックカラーの第１の係止フランジ上に支持され、前記ロックカラーは、前記第１の係止フランジに対向する第２の係止フランジを含み、前記第２の係止フランジは、ロックリングの近位の結合リングのまわりに配置されるリリースカラーに係合し、前記リリースカラーを近位に付勢する、ステップと、
前記外科手術器具の遠位端部分に画定される係止窓が、前記ロックと整合され、したがって、前記係止フランジの弾性が、前記ロックを前記係止窓中に移動させ、前記装填ユニットを前記外科手術器具に固着させるまで、前記遠位端部分にわたって前記装填ユニットを継続してスライドさせるステップと、
を含む、方法。
【請求項１６】
前記装填ユニットを前記外科手術器具の遠位端部分から解放するステップであって、
前記リリースカラーを前記結合リングに沿って遠位に作動させ、前記ロックを前記係止窓内から上昇させることと、
前記装填ユニットを前記外科手術器具の遠位端部分からスライドさせることと、
を含むステップ
を含む、請求項１５に記載の方法。
【請求項１７】
前記リリースカラーを遠位に作動させるステップは、前記第１の係止フランジのカム面を前記リリースカラーの第１のカム作用面と係合させ、前記ロックを前記係止窓内から上昇させるステップを含む、請求項１６に記載の方法。
【請求項１８】
前記第１のカム面が前記第１のカム作用面に係合し、前記第１の係止フランジの弾性に応答して、前記リリースカラーを前記結合リングに沿って近位に付勢するように、前記装填ユニットを前記外科手術器具の遠位端部分からスライドさせた後、前記リリースカラーを解放するステップをさらに含む、請求項１７に記載の方法。
【請求項１９】
前記リリースカラーを遠位に作動させるステップは、前記第２の係止フランジのカム面を前記リリースカラーの第２のカム作用面と係合させ、前記第２の係止フランジを上昇させるステップを含む、請求項１７に記載の方法。
【請求項２０】
前記装填ユニットの結合リングを前記外科手術器具の遠位端部分と整合させるステップは、前記リリースカラーの整合印を前記遠位端部分の整合インジケータと整合させるステップを含む、請求項１６に記載の方法。
【発明の詳細な説明】
【技術分野】
【０００１】
本開示は、概して、外科手術用ステープル留め器具に関する。より具体的には、本開示は、交換可能装填ユニットを含む、円形外科手術用ステープル留め器具に関する。
【背景技術】
【０００２】
外科手術手技中に組織部分を継合するように構成される外科手術用ステープル留め器具が、周知である。これらの器具は、本器具の縦方向軸に平行に、またはそれを横断して配向される線形エンドエフェクタ、ならびに円形エンドエフェクタを含む。典型的には、線形ステープル留め器具は、ステープル留め器具が複数回使用されることを可能にする、使い捨て装填ユニットまたは交換可能カートリッジを含む。しかしながら、従来の円形ステープル留め器具は、典型的には、本器具に固定して取り付けられるカートリッジまたはシェルアセンブリを含み、したがって、本器具は、単回使用後に廃棄されなければならない。いくつかの円形ステープル留め器具は、交換可能なカートリッジまたはシェルアセンブリを含む。
【０００３】
当分野において、ステープル留め器具の再使用を促進するために、カートリッジまたはシェルアセンブリを円形ステープル留め器具に解放可能に固着させるための単純で安価な器具の必要性が存在する。
【発明の概要】
【課題を解決するための手段】
【０００４】
本開示のある側面では、装填ユニットが、シェルアセンブリと、ロックカラーと、リリースカラーとを含む。シェルアセンブリは、ロックスロットと、外科手術器具の遠位端部分を受容するように構成される近位開口部とを画定する、結合リングを有する。ロックカラーは、結合リングのまわりに配置され、ロックスロット内に受容されるように構成される半径方向に延在するロックを有する。ロックカラーは、ロックがロックスロット内に位置付けられる係止構成と、ロックがロックスロット内から上昇される係止解除構成との間で遷移可能である。ロックカラーは、係止構成において装填ユニットを外科手術器具に固着させるように構成される。リリースカラーは、ロックカラーの近位の結合リングのまわりに配置され、非作動位置と作動位置との間で遷移可能である。リリースカラーが非作動位置から作動位置に向かって平行移動されると、リリースカラーは、ロックカラーを係止解除構成に遷移させる。
【０００５】
いくつかの側面では、ロックカラーは、ロックリングと、ロックリングから近位に延在する第１の弾性係止フランジとを含む。第１の係止フランジは、係止構成においてロックスロットを通して近位開口部に通過し、係止解除構成において近位開口部の外側に位置付けられる、ロックを支持し得る。第１の係止フランジは、内向きに遠位に角度付けられるカム面を含み得、リリースカラーは、外向きに近位に角度付けられる第１のカム作用面を有し得る。係止構成において、第１のロックカラーのカム面は、リリースカラーの第１のカム作用面に係合し、リリースカラーを非作動位置に向かって付勢し得る。作動位置において、第１のカム作用面は、第１の係止フランジのカム面に係合し、ロックカラーを係止解除構成に遷移させ得る。
【０００６】
ある側面では、ロックカラーは、リリースカラーを非作動位置に向かって付勢する。ロックカラーは、ロックリングから近位に延在し、第１の係止フランジに対向する、第２の弾性係止フランジを含み得る。第２の係止フランジは、内向きに遠位に角度付けられるカム面を有し得、リリースカラーは、外向きに近位に角度付けられる第２のカム作用面を有し得る。第２の係止フランジのカム面は、リリースカラーの第２のカム作用面に係合し、リリースカラーを非作動位置に向かって付勢し得る。リリースカラーの作動位置において、第２のカム作用面は、第２の係止フランジを結合リングから離すように上昇させ得る。
【０００７】
特定の側面では、結合リングは、複数のロックカラー保持スロットを画定し得、ロックカラーは、それぞれ、それぞれのロックカラー保持スロット内に受容され、ロックカラーを結合リングに固着させる、複数のロックカラー保持タブを含む。結合リングは、複数のリリースカラー保持スロットを画定し得、リリースカラーは、それぞれ、それぞれのリリースカラー保持スロット内にスライド可能に受容され、リリースカラーを結合リングのまわりに保持する、複数のリリースカラー保持タブを含み得る。
【０００８】
本開示の別の側面では、外科手術システムが、外科手術器具と、装填ユニットと、ロックカラーと、リリースカラーとを含む。外科手術器具は、係止窓を画定する遠位端部分を含む。装填ユニットは、遠位端部分を受容する近位開口部を画定する結合リングを有する、シェルアセンブリを含む。結合リングは、ロックスロットを画定する。ロックカラーは、結合リングのまわりに配置され、ロックスロット内に受容されるように構成される半径方向に延在するロックを含む。ロックカラーは、ロックがロックスロット内に位置付けられる係止構成と、ロックがロックスロット内から上昇される係止解除構成との間で遷移可能である。ロックカラーは、係止構成において装填ユニットを外科手術器具の遠位端部分に固着させるように構成される。リリースカラーは、ロックカラーの近位の結合リングのまわりに配置される。リリースカラーは、非作動位置と作動位置との間で平行移動可能である。リリースカラーが非作動位置から作動位置に向かって平行移動されると、リリースカラーは、ロックカラーを係止解除構成に遷移させる。
【０００９】
側面では、結合リングは、近位開口部に延在するキーを含み、外科手術器具の遠位端部分は、キー溝を画定する。キーは、シェルアセンブリの縦方向軸に平行であり得、キー溝は、外科手術器具の遠位端部分の縦方向軸に平行であり得る。キーは、キー溝内に受容され、装填ユニットを外科手術器具の遠位端部分に回転可能に固定する。
【００１０】
いくつかの側面では、ロックカラーは、ロックリングと、ロックリングから近位に延在する第１の弾性係止フランジとを含み得る。第１の係止フランジは、内向きに遠位に角度付けられるカム面を含む、ロックを支持し得る。外科手術器具の遠位端は、係止窓が結合リングのロックスロットと整合されるまで外科手術器具の遠位端部分が近位開口部内に受容されると、ロックのカム面に係合し、ロックカラーを係止解除構成に遷移させるように構成され得る。リリースカラーは、整合印を含み得、外科手術器具の遠位端部分は、整合インジケータを含み得る。遠位端部分が近位開口部内に受容されると、リリースカラーの整合印および遠位端部分の整合インジケータは、相互に整合され、ロックリングのロックを遠位端部分の係止窓と整合させ得る。
【００１１】
本開示の別の側面では、装填ユニットを外科手術器具に固着させる方法が、装填ユニットの結合リングを外科手術器具の遠位端部分と整合させるステップと、結合リングを外科手術器具の遠位端部分にわたってスライドさせるステップと、外科手術器具の遠位端部分に画定される係止窓が、ロックと整合されるまで、遠位端部分にわたって装填ユニットを継続してスライドさせるステップとを含む。結合リングを遠位端部分にわたってスライドさせるステップは、外科手術器具の遠位端が、結合リングにわたって配置されるロックカラー上に配置されるロックに係合し、ロックを上昇させるステップを含み得る。ロックは、ロックカラーの第１の係止フランジ上に支持される。ロックカラーはまた、第１の係止フランジに対向する第２の係止フランジを含む。第２の係止フランジは、ロックリングの近位の結合リングのまわりに配置されるリリースカラーに係合し、リリースカラーを近位に付勢する。ロックが係止窓と整合されると、係止フランジの弾性は、ロックを係止窓中に移動させ、装填ユニットを外科手術器具に固着させる。
【００１２】
側面では、本方法は、リリースカラーを結合リングに沿って遠位に作動させ、ロックを係止窓内から上昇させ、装填ユニットを外科手術器具の遠位端部分からスライドさせることによって、装填ユニットを外科手術器具の遠位端部分から解放するステップを含む。リリースカラーを遠位に作動させるステップは、第１の係止フランジのカム面をリリースカラーの第１のカム作用面と係合させ、ロックを係止窓内から上昇させるステップを含み得る。
【００１３】
いくつかの側面では、本方法は、第１のカム面が第１のカム作用面に係合し、第１の係止フランジの弾性に応答して、リリースカラーを結合リングに沿って近位に付勢するように、装填ユニットを外科手術器具の遠位端部分からスライドさせた後、リリースカラーを解放するステップを含む。
【００１４】
ある側面では、リリースカラーを遠位に作動させるステップは、第２の係止フランジのカム面をリリースカラーの第２のカム作用面と係合させ、第２の係止フランジを上昇させるステップを含む。装填ユニットの結合リングを外科手術器具の遠位端部分と整合させるステップは、リリースカラーの整合印を遠位端部分の整合インジケータと整合させるステップを含む。
【００１５】
さらに、一貫する限り、本明細書に説明される側面のいずれかが、本明細書に説明される他の側面のいずれかまたは全てと併用され得る。
例えば、本発明は、以下を提供する。
（項目１）
装填ユニットであって、
外科手術器具の遠位端部分を受容するように構成される近位開口部を画定する結合リングを有するシェルアセンブリであって、上記結合リングは、ロックスロットを画定する、シェルアセンブリと、
上記結合リングのまわりに配置される、ロックカラーであって、上記ロックカラーは、上記ロックスロット内に受容されるように構成される半径方向に延在するロックを含み、上記ロックカラーは、上記ロックが上記ロックスロット内に位置付けられる係止構成と、上記ロックが上記ロックスロット内から上昇される係止解除構成との間で遷移可能であり、上記ロックカラーは、上記係止構成において上記装填ユニットを外科手術器具に固着させるように構成される、ロックカラーと、
上記ロックカラーの近位の上記結合リングのまわりに配置される、リリースカラーであって、上記リリースカラーは、非作動位置と作動位置との間で平行移動可能であり、上記リリースカラーは、上記リリースカラーが上記非作動位置から上記作動位置に向かって平行移動されると、上記ロックカラーを上記係止解除構成に遷移させる、リリースカラーと、
を備える、装填ユニット。
（項目２）
上記ロックカラーは、ロックリングと、上記ロックリングから近位に延在する第１の弾性係止フランジとを含み、上記第１の係止フランジは、上記ロックを支持し、上記ロックは、上記係止構成において上記ロックスロットを通して上記近位開口部に通過し、上記ロックは、上記係止解除構成において上記近位開口部の外側に位置付けられる、上記項目に記載の装填ユニット。
（項目３）
上記第１の係止フランジは、内向きに遠位に角度付けられるカム面を含み、上記リリースカラーは、外向きに近位に角度付けられる第１のカム作用面を有し、上記係止構成において、上記第１の係止フランジのカム面は、上記第１のカム作用面に係合し、上記リリースカラーを上記非作動位置に向かって付勢する、上記項目のいずれかに記載の装填ユニット。
（項目４）
上記作動位置において、上記第１のカム作用面は、上記第１の係止フランジのカム面に係合し、上記ロックカラーを上記係止解除構成に遷移させる、上記項目のいずれかに記載の装填ユニット。
（項目５）
上記ロックカラーは、上記リリースカラーを上記非作動位置に向かって付勢する、上記項目のいずれかに記載の装填ユニット。
（項目６）
上記ロックカラーは、ロックリングから近位に延在し、上記第１の係止フランジに対向する、第２の弾性係止フランジを含む、上記項目のいずれかに記載の装填ユニット。
（項目７）
上記第２の係止フランジは、内向きに遠位に角度付けられるカム面を有し、上記リリースカラーは、外向きに近位に角度付けられる第２のカム作用面を有し、上記第２の係止フランジのカム面は、上記リリースカラーの第２のカム作用面に係合し、上記リリースカラーを上記非作動位置に向かって付勢する、上記項目のいずれかに記載の装填ユニット。
（項目８）
上記リリースカラーの作動位置において、上記第２のカム作用面は、上記第２の係止フランジを上記結合リングから離すように上昇させる、上記項目のいずれかに記載の装填ユニット。
（項目９）
上記結合リングは、複数のロックカラー保持スロットを画定し、上記ロックカラーは、複数のロックカラー保持タブを含み、上記保持タブはそれぞれ、それぞれのロックカラー保持スロット内に受容され、上記ロックカラーを上記結合リングに固着させる、上記項目のいずれかに記載の装填ユニット。
（項目１０）
上記結合リングは、複数のリリースカラー保持スロットを画定し、上記リリースカラーは、複数のリリースカラー保持タブを含み、上記保持タブはそれぞれ、それぞれのリリースカラー保持スロット内にスライド可能に受容され、上記リリースカラーを上記結合リングのまわりに保持する、上記項目のいずれかに記載の装填ユニット。
（項目１１）
外科手術システムであって、
係止窓を画定する遠位端部分を含む、外科手術器具と、
上記遠位端部分を受容する近位開口部を画定する結合リングを有するシェルアセンブリを含む装填ユニットであって、上記結合リングは、ロックスロットを画定する、装填ユニットと、
上記結合リングのまわりに配置される、ロックカラーであって、上記ロックカラーは、上記ロックスロット内に受容されるように構成される半径方向に延在するロックを含み、上記ロックカラーは、上記ロックが上記ロックスロット内に位置付けられる係止構成と、上記ロックが上記ロックスロット内から上昇される係止解除構成との間で遷移可能であり、上記係止構成において上記装填ユニットを上記外科手術器具の遠位端部分に固着させるように構成される、ロックカラーと、
上記ロックカラーの近位の上記結合リングのまわりに配置される、リリースカラーであって、上記リリースカラーは、非作動位置と作動位置との間で平行移動可能であり、上記リリースカラーは、上記リリースカラーが上記非作動位置から上記作動位置に向かって平行移動されると、上記ロックカラーを上記係止解除構成に遷移させる、リリースカラーと、
を備える、外科手術システム。
（項目１２）
上記結合リングは、上記近位開口部に延在するキーを含み、上記外科手術器具の遠位端部分は、キー溝を画定し、上記キーは、上記シェルアセンブリの縦方向軸に平行であり、上記キー溝は、上記外科手術器具の遠位端部分の縦方向軸に平行であり、上記キーは、上記キー溝内に受容され、上記装填ユニットを上記外科手術器具の遠位端部分に回転可能に固定する、上記項目に記載の外科手術システム。
（項目１３）
上記ロックカラーは、ロックリングと、上記ロックリングから近位に延在する第１の弾性係止フランジとを含み、上記第１の係止フランジは、上記ロックを支持し、上記ロックは、内向きに遠位に角度付けられるカム面を含み、上記外科手術器具の遠位端は、上記係止窓が上記結合リングのロックスロットと整合されるまで上記外科手術器具の遠位端部分が上記近位開口部内に受容されると、上記ロックのカム面に係合し、上記ロックカラーを上記係止解除構成に遷移させるように構成される、上記項目のいずれかに記載の外科手術システム。
（項目１４）
上記リリースカラーは、整合印を含み、上記外科手術器具の遠位端部分は、整合インジケータを含み、上記遠位端部分が上記近位開口部内に受容されると、上記リリースカラーの整合印および上記遠位端部分の整合インジケータは、相互に整合され、ロックリングのロックを上記遠位端部分の係止窓と整合させる、上記項目のいずれかに記載の外科手術システム。
（項目１５）
装填ユニットを外科手術器具に固着させる方法であって、
上記装填ユニットの結合リングを上記外科手術器具の遠位端部分と整合させるステップと、
上記結合リングを上記外科手術器具の遠位端部分にわたってスライドさせるステップであって、上記外科手術器具の遠位端は、上記結合リングにわたって配置されるロックカラーのロックに係合し、上記ロックを上昇させ、上記ロックは、上記ロックカラーの第１の係止フランジ上に支持され、上記ロックカラーは、上記第１の係止フランジに対向する第２の係止フランジを含み、上記第２の係止フランジは、ロックリングの近位の結合リングのまわりに配置されるリリースカラーに係合し、上記リリースカラーを近位に付勢する、ステップと、
上記外科手術器具の遠位端部分に画定される係止窓が、上記ロックと整合され、したがって、上記係止フランジの弾性が、上記ロックを上記係止窓中に移動させ、上記装填ユニットを上記外科手術器具に固着させるまで、上記遠位端部分にわたって上記装填ユニットを継続してスライドさせるステップと、
を含む、方法。
（項目１６）
上記装填ユニットを上記外科手術器具の遠位端部分から解放するステップであって、
上記リリースカラーを上記結合リングに沿って遠位に作動させ、上記ロックを上記係止窓内から上昇させることと、
上記装填ユニットを上記外科手術器具の遠位端部分からスライドさせることと、
を含むステップ
を含む、上記項目に記載の方法。
（項目１７）
上記リリースカラーを遠位に作動させるステップは、上記第１の係止フランジのカム面を上記リリースカラーの第１のカム作用面と係合させ、上記ロックを上記係止窓内から上昇させるステップを含む、上記項目のいずれかに記載の方法。
（項目１８）
上記第１のカム面が上記第１のカム作用面に係合し、上記第１の係止フランジの弾性に応答して、上記リリースカラーを上記結合リングに沿って近位に付勢するように、上記装填ユニットを上記外科手術器具の遠位端部分からスライドさせた後、上記リリースカラーを解放するステップをさらに含む、上記項目のいずれかに記載の方法。
（項目１９）
上記リリースカラーを遠位に作動させるステップは、上記第２の係止フランジのカム面を上記リリースカラーの第２のカム作用面と係合させ、上記第２の係止フランジを上昇させるステップを含む、上記項目のいずれかに記載の方法。
（項目２０）
上記装填ユニットの結合リングを上記外科手術器具の遠位端部分と整合させるステップは、上記リリースカラーの整合印を上記遠位端部分の整合インジケータと整合させるステップを含む、上記項目のいずれかに記載の方法。
（摘要）
装填ユニットが、シェルアセンブリと、ロックカラーと、リリースカラーとを含む。シェルアセンブリは、ロックスロットと、外科手術器具の遠位端部分を受容するように構成される近位開口部とを画定する、結合リングを有する。ロックカラーは、結合リングのまわりに配置され、ロックスロット内に受容されるように構成される半径方向に延在するロックを有する。ロックカラーは、ロックがロックスロット内に位置付けられる係止構成と、ロックがロックスロット内から上昇される係止解除構成との間で遷移可能である。リリースカラーは、ロックカラーの近位の結合リングのまわりに配置され、非作動位置と作動位置との間で遷移可能である。リリースカラーが非作動位置から作動位置に向かって平行移動されると、リリースカラーは、ロックカラーを係止解除構成に遷移させる。
【図面の簡単な説明】
【００１６】
本開示の種々の側面が、本明細書に組み込まれ、その一部を構成する、図面を参照して本明細書の以下に説明される。
【００１７】
【図１】図１は、本開示による、装填ユニットが円形ステープル留めアダプタの遠位端に解放可能に結合された、円形ステープル留めアダプタの斜視図である。
【図２】図２は、図１の装填ユニットが外科手術器具の遠位端に解放可能に結合された、円形ステープル留め外科手術器具の斜視図である。
【図３】図３は、図１の詳細指示面積の拡大斜視図である。
【図４】図４は、装填ユニットがアダプタから分断された、図１のアダプタの斜視図である。
【図５】図５は、図４の装填ユニットの部品が分離された、分解図である。
【図６】図６は、図４の装填ユニットのシェルアセンブリおよび図１のアダプタの遠位端部分の斜視図である。
【図７】図７は、図５のロックカラーの拡大斜視図である。
【図８】図８は、図７の区分線８−８に沿って観察される、断面図である。
【図９】図９は、図５のリリースカラーの斜視図である。
【図１０】図１０は、図９の区分線１０−１０に沿って観察される、断面図である。
【図１１】図１１は、係止構成において図１０のリリースカラーと係合される、図８のロックカラーの断面図である。
【図１２】図１２は、係止構成におけるロックカラーおよび非作動位置におけるリリースカラーを例証する、図４の区分線１２−１２に沿って観察される、断面図である。
【図１３】図１３は、係止解除構成におけるロックカラーおよび非作動位置におけるリリースカラーを伴う、アダプタの遠位端部分にわたって部分的にスライドされる図１２の装填ユニットの断面図である。
【図１４】図１４は、図１３の区分線１４−１４に沿って観察される、断面図である。
【図１５】図１５は、係止構成におけるロックカラーおよび非作動位置におけるリリースカラーを伴う、アダプタの遠位端部分上に固着される図１３の装填ユニットの断面図である。
【図１６】図１６は、図１５の区分線１６−１６に沿って観察される、断面図である。
【図１７】図１７は、作動位置におけるリリースカラーおよび係止解除構成におけるロックカラーを伴う、図３の装填ユニットおよびアダプタの遠位端部分の斜視図である。
【図１８】図１８は、図１７の区分線１８−１８に沿って観察される、断面図である。
【図１９】図１９は、装填ユニットがアダプタの遠位端部分からスライドさせられた、図１８の装填ユニットおよびアダプタの遠位端部分の断面図である。
【図２０】図２０は、ロックカラーの係合によって、リリースカラーが解放され、非作動位置に付勢された、図１９の装填ユニットの断面図である。
【発明を実施するための形態】
【００１８】
ここで、本開示の実施形態が、同様の参照番号が、いくつかの図のそれぞれにおいて同じまたは対応する要素を指定する、図面を参照して詳細に説明される。本明細書で使用されるように、用語「臨床医」は、医師、看護師、または任意の他の医療提供者を指し、サポート要員を含み得る。本説明全体を通して、用語「近位」は、臨床医に最も近接するデバイスまたはその構成要素の部分を指し、用語「遠位」は、臨床医から最も遠いデバイスまたはその構成要素の部分を指す。
【００１９】
本開示は、概して、ロックカラーおよびリリースカラーを支持する結合リングを含む、装填ユニットに関する。リリースカラーは、ロックカラーが装填ユニットを外科手術器具に固着させる係止構成から、装填ユニットが外科手術器具から除去可能である係止解除構成にロックカラーを遷移させるように作動可能である。
【００２０】
図１−３を参照すると、装填ユニット１０が、本開示の実施形態に従って提供される。装填ユニット１０は、外科手術器具のアダプタ１０２を介して、電動式ハンドヘルド電気機械的器具（図示せず）への選択的接続のために構成される。代替として、装填ユニット１０は、米国特許第８，７８９，７３７号（「第’７３７号特許」）（参照することによって本明細書に組み込まれる）に説明されるもの等、手動作動式ハンドルアセンブリまたはステープル留め器具７００（図２）への直接接続のために構成されることができる。例証される実施形態では、装填ユニット１０は、アダプタ１０２の遠位端部分１１０に解放可能に結合され、ステープルカートリッジ１２（図５）と、シェルアセンブリ２０と、ロックカラー４０と、リリースカラー６０とを含む。アダプタ１０２は、アンビル４００（図２）を支持する。アダプタ１０２は、ステープル留め器具のアクチュエータ、例えば、電気機械的アクチュエータ（図示せず）の移動を変換し、シェルアセンブリ２００に関連してアンビルアセンブリ４００を移動させ、シェルアセンブリ２０を作動させ、組織（図示せず）を縫合および切断するように構成される。アダプタ１０２の近位端１０４は、ステープルカートリッジ１２を作動させるようにステープル留め器具に取付可能である。アダプタ１０２の近位端１０４は、第’７３７号特許に説明されるもの等の手動作動式器具に取り付けられ、ステープルカートリッジ１２を作動させ得ることが想定される。
【００２１】
例示的アダプタおよび装填ユニットの構造および機能の詳細な説明に関して、２０１５年１０月６日に出願された、共同所有される米国特許出願第１４／８７５，７６６号を参照されたい。例示的電気機械的器具の構造および機能の詳細な説明に関して、共同所有される米国特許第８，９６８，２７６号および第９，０５５，９４３号、共同所有される米国特許公開第２０１５／０１５７３２１号、ならびに２０１６年２月５日に出願され、「ＨＡＮＤＨＥＬＤ  ＥＬＥＣＴＲＯＭＥＣＨＡＮＩＣＡＬ  ＳＵＲＧＩＣＡＬ  ＳＹＳＴＥＭ」と題された、共同所有される米国仮特許出願第６２／２９１，７７５号を参照されたい。これらの開示のそれぞれの全内容は、参照することによって本明細書に組み込まれる。
【００２２】
図３および４を参照すると、外科手術器具、例えば、アダプタ１０２の遠位端部分１１０は、係止窓１１４を画定する陥凹搭載用リング１１２を含む。搭載用リング１１２は、縮小された直径を有し、遠位端部分１１０にショルダ１１６を形成する。ショルダ１１６は、以下に詳述されるように、装填ユニット１０に対する止め具として作用する。係止窓１１４は、搭載用リング１１２の外面を通過し、搭載用リング１１２の遠位端１１３から離間される。遠位端部分１１０はまた、アダプタ１０２の縦方向軸に平行である、搭載用リング１１２の遠位端１１３から延在するキー溝１１９（図６）を画定し得る。
【００２３】
また、図５も参照すると、装填ユニット１０は、シェルアセンブリ２０と、ロックカラー４０と、リリースカラー６０とを含む。シェルアセンブリ２０は、アダプタ１０２の搭載用リング１１２を受容するように定寸される円筒形開口部２１を画定する陥凹結合リング２２を含む近位端３２と、ステープルカートリッジ１２を受容するように定寸されるレセプタクル３６（図１２）を画定する遠位端３４とを有する。
【００２４】
特に図５を参照すると、シェルアセンブリ２０の結合リング２２は、ロックカラー４０およびリリースカラー６０を通して受容されるようにサイズ決定され、リリースカラー６０は、ロックカラー４０の近位に位置付けられる。実施形態では、ロックカラー４０は、結合リング２２によって画定される段２３の深さと実質的に等しい厚さを有し、したがって、ロックカラー４０およびシェルアセンブリ２０の外面は、連続的または平滑な表面を形成する。
【００２５】
結合リング２２は、シェルアセンブリ２０の結合リング２２を通過する、ロックカラー保持スロット２４、ロックスロット２５、およびリリースカラー保持スロット２６を画定する。ロックカラー保持スロット２４は、ロックカラー４０の一部を受容し、シェルアセンブリ２０の結合リング２２に関連してロックカラー４０を縦方向かつ半径方向に固着させるように構成される。実施形態では、ロックカラー保持スロット２４は、形状が略長方形であり、結合リング２２のまわりに配置される。ロックカラー保持スロット２４は、シェルアセンブリ２０の段２３から等しい距離に離間され、結合リング２２のまわりに均一に（例えば、９０°に）離間されるが、しかしながら、ロックカラー保持スロット２４は、種々の構成をとる、および／または結合リング２２のまわりに不均一に離間され、結合リング２２に関連してロックカラー４０を適切に配向させ得ることが想定される。結合リング２２は、４つを上回る、またはそれを下回るロックカラー保持スロット２４を画定し得ることが想定される。ロックカラー保持スロット２４はそれぞれ、結合リング２２の外面を通過し、結合リング２２の内面および外面を通過し得る。
【００２６】
リリースカラー保持スロット２６は、リリースカラー６０の一部を受容し、シェルアセンブリ２０の結合リング２２に関連してリリースカラー６０を軸方向に固着させるように構成される。示されるように、リリースカラー保持スロット２６は、形状が略長方形であり、結合リング２２のまわりに配置される。リリースカラー保持スロット２６は、シェルアセンブリ２０の近位端３２から等しい距離に離間され、結合リング２２のまわりに均一に（例えば、９０°に）離間されるが、しかしながら、リリースカラー保持スロット２６は、種々の構成をとる、および／または結合リング２２のまわりに不均一に離間され、結合リング２２に関連してリリースカラー６０を配向させ得ることが想定される。結合リング２２は、４つを上回る、またはそれを下回るリリースカラー保持スロット２６を画定し得ることが想定される。示されるように、リリースカラー保持スロット２６は、ロックカラー保持スロット２４のそれぞれ１つと整合されるが、しかしながら、リリースカラー保持スロット２６は、ロックカラー保持スロット２４から不整合され得ることが想定される。リリースカラー保持スロット２６は、結合リング２２の外面を通過し、結合リング２２の内面および外面を通過し得る。
【００２７】
ロックスロット２５は、結合リング２２の内面および外面を通過し、以下に詳細に説明されるように、ロックカラー４０の一部を受容し、シェルアセンブリ２０をアダプタ１０２の遠位端部分１１０に固着させるように構成される。ロックスロット２５は、略長方形形状を有し、結合リング２２の外面と内面との間を通過する。ロックスロット２５は、ロックスロット２５を画定する壁がシェルアセンブリ２０の縦方向軸に平行および垂直であるように配向され得る。ロックスロット２５は、ロックカラー保持スロット２４のうちの２つの間に位置付けられる。ロックスロット２５は、リリースカラー保持スロット２６のうちの１つまたはそれを上回るものと連通し得ることが想定される。
【００２８】
加えて図６を参照すると、シェルアセンブリ２０の結合リング２２は、シェルアセンブリ２０の縦方向軸に平行な方向に延在する、結合リング２２の内面上に配置されるキー２８を含む。示されるように、キー２８は、ロックカラー保持スロット２４のうちの１つおよびリリースカラー保持スロット２６のうちの１つと整合されるが、しかしながら、キー２８は、２つのロックカラー保持スロット２４および／または２つのリリースカラー保持スロット２６の間に位置付けられ得ることが想定される。しかしながら、ロックスロット２５およびキー２８は、相互に隣接する、または相互に対して結合リング２２を中心とする任意の場所に位置付けられ得る。
【００２９】
アダプタ１０２の搭載用リング１１２は、結合リング２２のキー２８を受容するキー溝１９を画定し、装填ユニット１０をアダプタ１０２と整合させる。キー溝１１９は、アダプタ１０２の遠位端部分１１０の縦方向軸に平行な方向に延在し、キー２８を受容するようにサイズ決定される。
【００３０】
図５−８を参照すると、ロックカラー４０は、ロックカラー保持タブ４２を含むロックリング４１と、係止フランジ４４とを含む。実施形態では、ロックカラー保持タブ４２は、ロックリング４１から内向きに延在し、形状が略長方形であり、ロックリング４１のまわりに配置される。示されるように、ロックカラー保持タブ４２は、ロックリング４１のまわりに均一に（すなわち、９０°に）離間されるが、しかしながら、ロックカラー保持タブ４２は、種々の構成をとり得、ロックリング４１のまわりに不均一に離間され得、ロックカラー４０を結合リング２２と配向させることが想定される。ロックリング４１は、４つを上回る、またはそれを下回るロックカラー保持タブ４２を含み得ることが想定される。ロックカラー保持タブ４２は、結合リング２２のそれぞれのロックカラー保持スロット２４内に受容されるようにサイズ決定され、結合リング２２の内面および外面を通過するように定寸され得る。
【００３１】
ロックカラー保持タブ４２はそれぞれ、内向きに近位に角度付けられるカム面４２ａと、ロックカラー４０が結合リング２２のまわりに配置されると、結合リング２２の縦方向軸に実質的に直交する近位係止面４２ｂとを含む。近位係止面４２ｂは、ロックカラー保持タブ４２がロックカラー保持スロット２４内に受容されると、結合リング２２に係合し、ロックカラー４０が結合リング２２に対して近位に移動することを防止する。
【００３２】
係止フランジ４４は、ロックリング４１から近位に延在する。示されるように、ロックリング４１は、相互に直径方向に対向する２つの係止フランジ４４を含む。係止フランジ４４はそれぞれ、内向きに遠位に角度付けられるテーパ状近位カム面４６を含み、したがって、各係止フランジ４４の外面は、係止フランジ４４の内面を越えて近位に延在する。
【００３３】
係止フランジ４４のうちの１つは、係止フランジ４４の内面から内向きに延在するロック５０を含む。ロック５０は、搭載用リング１１２が結合リング２２内に受容されると、結合リング２２のロックスロット２５を通して、アダプタ１０２の搭載用リング１１２の係止窓１１４中に延在し、シェルアセンブリ２０をアダプタ１０２に固着させるようにサイズ決定および定寸される。ロック５０は、係止面５２（図８）と、近位カム面４６と実質的に整合されるテーパ状カム面５６とを含む。係止面５２は、ロックカラー４０が結合リング２２のまわりに配置されると、結合リング２２の縦方向軸に実質的に直交する。係止面５２は、以下に詳述されるように、アダプタ１０２の搭載用リング１１２の一部に係合し、搭載用リング１１２を結合リング２２内に固着させる。示されるように、カム面５６は、内向きに遠位に角度付けられ、係止フランジ４４のカム面４６と適合する。しかしながら、カム面５６は、カム面４６を上回るまたは下回る角度において配置され得ることが想定される。係止フランジ４４は、弾性材料から構築され、係止フランジ４４が結合リング２２の外面に係合するように位置付けられる。
【００３４】
また、図９および１０も参照すると、リリースカラー６０は、リリースカラー保持タブ６２と、カム６４とを含む。実施形態では、リリースカラー保持タブ６２は、リリースカラー６０の内壁から内向きに延在し、形状が略長方形であり、リリースカラー６０のまわりに配置される。示されるように、リリースカラー保持タブ６２は、リリースカラー６０のまわりに均一に（例えば、９０°に）離間されるが、しかしながら、リリースカラー保持タブ６２は、種々の構成をとり、リリースカラー６０のまわりに不均一に離間され、結合リング２２に関連してリリースカラー６０を適切に配向させ得ることが想定される。リリースカラー６０は、４つを上回る、またはそれを下回るリリースカラー保持タブ６２を含み得ることが想定される。各リリースカラー保持タブ６２は、結合リング２２のそれぞれのリリースカラー保持スロット２６内にスライド可能に受容されるようにサイズ決定され、結合リング２２の内面および外面を通過し得る。リリースカラー保持タブ６２はそれぞれ、内向きに近位方向に角度付けられるカム面６２ａ（図１０）と、リリースカラー６０が結合リング２２のまわりに配置されると、結合リング２２の縦方向軸に実質的に直交する近位係止面６２ｂとを含む。近位係止面６２ｂは、リリースカラー保持タブ６２がリリースカラー保持スロット２６内に受容されると、結合リング２２に係合し、リリースカラー６０が結合リング２２に対して近位にスライドすることを防止する。
【００３５】
リリースカラー６０はまた、係合特徴７０と、作動インジケータ７２と、整合インジケータ７８とを含む（図９）。示されるように、係合特徴７０は、リリースカラー６０の外面上に位置付けられる、または形成される複数の半径方向肋材を含むが、しかしながら、係合特徴７０は、以下に詳述されるように、臨床医の指またはリリースカラー６０を作動させるためのロボット機構とリリースカラー６０の係合を促進するための凹凸面もしくは他の好適な特徴を含むことができる。作動インジケータ７２は、以下に詳細に説明されるように、リリースカラー６０を作動させ、装填ユニット１０を解放するために要求される移動の方向に関するインジケーションを提供する。示されるように、作動インジケータ７２は、リリースカラー６０の外面上に位置付けられる、または形成される矢印を含む。
【００３６】
整合インジケータ７８は、リリースカラー６０がシェルアセンブリ２０の結合リング２２に固着されると、ロックカラー４０のロック５０と整合され、ロック５０の半径方向位置の視覚および／または触覚印を提供する。示されるように、整合インジケータ７８は、リリースカラー６０の外面における円形くぼみを含むが、しかしながら、整合インジケータ７８は、ロック５０の半径方向位置の視覚および／または触覚識別を提供するための凹凸、印刷、隆起、または識別可能な印を含むことができる。
【００３７】
上記に詳述され、以下により詳細に説明されるように、リリースカラー６０のリリースカラー保持タブ６２は、シェルアセンブリ２０の結合リング２２のリリースカラー保持スロット２６内に受容され、したがって、リリースカラー６０は、近位非作動位置（図３）と遠位完全作動位置（図１７）との間で、シェルアセンブリ２０の縦方向軸に平行な方向においてスライド可能である。遠位作動位置と近位非作動位置との間のリリースカラー６０の移動は、ロックカラー４０を係止構成と係止解除構成との間で遷移させる。加えて図１１を参照すると、リリースカラー６０のカム作用面６４は、対向するように外向きに近位に角度付けられ、リリースカラー６０がロックカラー４０と係合するようにスライドされると、ロックカラー４０の係止フランジ４４のカム面４６に係合する。ロックカラー４０に関連するリリースカラー６０の遠位移動は、以下に詳述されるように、ロックカラー４０を係止解除構成から係止構成に遷移させる。止め面６８は、カム面６４の遠位に位置付けられ、したがって、リリースカラー６０の非作動位置において、止め面６８は、ロックリング４１との間隙を画定し、リリースカラー６０の完全作動位置において、止め面６８は、ロックリング４１と係合される。
【００３８】
図１２−１６を参照すると、装填ユニット１０をアダプタ１０２または外科手術器具に結合する方法が、本開示に従って説明される。最初に図１２を参照すると、装填ユニット１０は、それぞれの縦方向軸が相互に一致するようにアダプタ１０２の遠位端部分１１０と整合される。加えて、装填ユニット１０は、リリースカラー６０の整合インジケータ７８がアダプタ１０２の遠位端部分１１０の整合インジケータ１１８と整合されるまで装填ユニット１０を回転させることによって、遠位端部分１１０と半径方向に整合または位置合わせされる。整合インジケータ７８、１１８が相互に整合されると、これは、キー２４がキー溝１１９と整合され、ロック５０がロックスロット２５と整合されていることを示す。アダプタ１０２の搭載用リング１１２は、装填ユニット１０のアダプタ１０２との整合中、結合リング２２の円筒形開口部２１内に部分的に受容され得ることが想定される。
【００３９】
装填ユニット１０がアダプタ１０２の遠位端部分１１０と半径方向に整合されると、装填ユニット１０は、アダプタ１０２の搭載用リング１１２上に搭載されることができる。具体的には、装填ユニット１０は、図１５および１６に示されるように、シェルアセンブリ２０の近位端３２がアダプタ１０２の遠位端部分１１０のショルダ１１６に当接するまで、アダプタ１０２の搭載用リング１１２にわたって近位にスライドされることができる。装填ユニット１０が図１３の矢印「Ａ」によって示される方向に搭載用リング１１２にわたってスライドされると、アダプタ１０２の遠位端部分１１０の遠位端１１３は、図１３に示されるように、結合リング２２のロックスロット２５を通して延在するロックカラー４０のロック５０のカム面５６に係合する。遠位端１１３とロック５０のカム面５６との間の係合は、結合リング２２の円筒形開口部２１の外向きに、図１３の矢印「Ｂ」によって示される方向においてロック５０を係止解除構成に付勢またはカム作用する。
【００４０】
アダプタ１０２の遠位端１１３が結合リング２２の円筒形開口部２１からロック５０をカム作用すると、ロックカラー４０は、リリースカラー６０を非作動位置に維持する。具体的には、対向する係止フランジ４４のカム面４６は、リリースカラー６０のカム作用面６４との係合を維持し、したがって、ロックカラー４０は、リリースカラー６０を非作動位置に維持する。図１４に示されるように、係止リング４１は、シェルアセンブリ２０の段２３に当接し、ロックカラー４０の遠位平行移動を防止する。加えて、ロックカラー保持タブ４２は、結合リング２２のロックカラー保持スロット２４内に配置され、係止面４２ｂは、結合リング２２と係合され、ロックカラー４０の近位平行移動を防止する。さらに、リリースカラー保持タブ６２は、リリースカラー保持スロット２６内に配置され、係止面６２ｂは、結合リング２２と係合され、リリースカラー６０の近位平行移動を防止する。
【００４１】
特に図１５および１６を参照すると、シェルアセンブリ２０の近位端３２がアダプタ１０２のショルダ１１６または外科手術器具に当接するとき、ロックカラー４０は、係止構成にあり、ロック５０は、結合リング２２のロックスロット２５を通して、搭載用リング１１２の係止窓１１４中に通過し、装填ユニット１０をアダプタ１０２に固着させる。具体的には、ロック５０の係止面５２は、係止窓１１４と遠位端１１３との間で搭載用リング１１２に係合し、搭載用リング１１２がシェルアセンブリ２０の円筒形開口部２１内から抜去されることを防止する。ロックカラー４０が係止構成に到達するとき、ロック５０は、ロックカラー４０が係止構成にあるという可聴印（例えば、クリック音）をユーザに提供するように構成され得る。
【００４２】
ロックカラー４０が係止構成にあるとき、係止フランジ４４のカム面４６は、リリースカラー６０のカム作用面６４との係合を維持し、したがって、ロックカラー４０は、リリースカラー６０を非作動位置に維持する。図１６に示されるように、係止リング４１は、シェルアセンブリ２０の段２３に当接し、ロックカラー４０の遠位平行移動を防止する。加えて、ロックカラー保持タブ４２は、結合リング２２のロックカラー保持スロット２４内に配置され、係止面４２ｂは、結合リング２２と係合され、ロックカラー４０の近位平行移動を防止する。さらに、リリースカラー保持タブ６２は、リリースカラー保持スロット２６内に配置され、係止面６２ｂは、結合リング２２と係合され、リリースカラー６０の近位平行移動を防止する。
【００４３】
装填ユニット１０がアダプタ１０２の遠位端部分１１０に固着されると、外科手術器具および装填ユニット１０は、外科手術手技を実施するために使用され得る。外科手術手技が完了した後、装填ユニット１０は、以下に詳細に説明されるであろうように、外科手術器具から分断または取外されることができる。装填ユニット１０が外科手術器具から分断されると、別の装填ユニットが、外科手術手技における継続した使用のために外科手術器具に結合または固着され得る、外科手術器具が、別の外科手術手技における使用のために滅菌され得る、または外科手術器具が、破棄され得る。加えて、装填ユニット１０は、別の外科手術手技における使用のために滅菌され得る、または破棄され得る。
【００４４】
図１７−２０を参照すると、装填ユニット１０をアダプタ１０２または外科手術器具から除去する方法が、本開示に従って説明される。最初に、リリースカラー６０が、図１７および１８に示されるように、非作動位置から作動位置に遠位に作動または平行移動される。臨床医が、リリースカラー６０の係合特徴７０を係合させ、リリースカラー６０を遠位に平行移動させることができる。リリースカラー６０が作動位置に向かって平行移動されると、カム作用面６４は、係止フランジ４４のカム面４６およびロックのカム面５６に対してスライドし、ロックカラー４０の５０を係止解除構成に上昇させ、したがって、ロック５０は、搭載用リング１１２の係止窓１１４の外側にあり、結合リング２２のロックスロット２５の外側にあり得る。リリースカラー６０が作動位置に平行移動されると、リリースカラー６０は、ロックカラー４０の両方の係止フランジ４４を上昇させることを理解されたい。
【００４５】
図１９に示されるように、ロック５０が係止窓１１４から上昇されると、係止リング４１は、シェルアセンブリ２０の段２３に係合し、シェルアセンブリ２０をアダプタ１０２の搭載用リング１１２から遠位にスライドさせる。加えて、止め面６８（図９）は、係止リング４１に係合することができ、これは、段２３に係合し、装填ユニット１０をアダプタ１０２から除去する。図１９に示されるように、リリースカラー６０が作動位置に平行移動されると、リリースカラー保持タブ６２は、リリースカラー保持スロット２６内を遠位にスライドする。
【００４６】
図２０を参照すると、装填ユニット１０がアダプタ１０２から除去されると、リリースカラー６０は、解放される。リリースカラー６０が解放されると、係止フランジ４４の弾性は、係止フランジ４４を内向きに付勢する。係止フランジ４４が内向きに移動すると、係止フランジ４４のカム面４６および／またはロック５２のカム面５６は、リリースカラー６０のカム作用面６４に係合し、リリースカラー６０を非作動位置に近位に平行移動させる。リリースカラー６０が非作動位置に到達すると、ロックカラー４０は、係止構成にあり、ロック５０は、ロックスロット２５を通過する。
【００４７】
上記に詳述されるように、ロックカラー４０の係止フランジ４４は、弾性材料から作製される。例えば、係止フランジ４４は、射出成形プロセスを使用して、弾性プラスチック材料から加工され得る。しかしながら、係止フランジ４４は、限定ではないが、ばね鋼、ステンレス鋼、またはワイヤを含む、他の好適な材料から加工され得ることが想定される。
【００４８】
本開示のいくつかの実施形態が、図面に示されたが、本開示は当分野が許容するものと同程度に範囲が広範であり、本明細書も同様に読み取られることが意図されるため、本開示がそれに限定されることは、意図されない。上記の実施形態の任意の組み合わせもまた、想定され、添付される請求項の範囲内である。本開示は、円形ステープル留め装填ユニットに限定されず、線形ステープル留め器具または電気焼灼もしくは超音波器具等の他のタイプの器具のための装填ユニットに適用される。したがって、上記の説明は、限定としてではなく、単に、特定の実施形態の例示として解釈されるべきである。当業者は、本明細書に添付される請求項の範囲内において、他の修正を想定するであろう。
【図１】
2018008059.tif 000003
【図２】
2018008059.tif 000004
【図３】
2018008059.tif 000005
【図４】
2018008059.tif 000006
【図５】
2018008059.tif 000007
【図６】
2018008059.tif 000008
【図７】
2018008059.tif 000009
【図８】
2018008059.tif 000010
【図９】
2018008059.tif 000011
【図１０】
2018008059.tif 000012
【図１１】
2018008059.tif 000013
【図１２】
2018008059.tif 000014
【図１３】
2018008059.tif 000015
【図１４】
2018008059.tif 000016
【図１５】
2018008059.tif 000017
【図１６】
2018008059.tif 000018
【図１７】
2018008059.tif 000019
【図１８】
2018008059.tif 000020
【図１９】
2018008059.tif 000021
【図２０】
2018008059.tif 000022
【外国語明細書】
2018008059000001.pdf